【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
エクササイズ・システムのためのエクササイズ用椅子であって、前記エクササイズ・システムは、弾性エクササイズ抵抗ケーブルと、前記弾性エクササイズ抵抗ケーブルの第１の端部にしっかり連結されたケーブル・アンカ・リングと、前記弾性エクササイズ抵抗ケーブルの第２の端部に連結されたハンドグリップを備えるタイプのエクササイズ抵抗ケーブル装置を使用するタイプであり、前記エクササイズ用椅子は、
ａ）椅子フレームと、
ｂ）第１の選択されたプーリ位置で前記椅子フレームにしっかり取り付けられ、第１のアクティビティ・ベイを有する第１のプーリ・アセンブリと、
ｃ）前記椅子フレームの第１の選択されたアンカ・アセンブリ位置にしっかり取り付けられ、弾性エクササイズ抵抗ケーブルへのアクセスおよび案内面として働くために前記第１のプーリ・アセンブリに向かって間隔をおいて配置された一対の平行の支持レールを備え、さらに第１のケーブル係止ピンを有する第１のアンカ・アセンブリとから構成され、
使用中に前記弾性エクササイズ抵抗ケーブルが前記第１のプーリ・アセンブリの前記第１のアクティビティ・ベイを通るように方向付けられ、最終的に前記ケーブル・アンカ・リングを介して取り付けられ、
前記第１のアンカ・アセンブリは、前記椅子フレームの第１の側面の概ね座席レベルに位置付けられ、
前記第１のプーリ・アセンブリは、前記椅子フレームの前記第１の側面の概ね肩の高さレベルに位置付けられ、
前記エクササイズ・システムは、
前記椅子フレームの前記第１の側面の概ね足首の高さレベルに位置付けられた第２のプーリ・アセンブリと、
前記椅子フレームの第２の側面の概ね座席レベルに位置付けられた第２のアンカ・アセンブリと、
前記椅子フレームの前記第２の側面の概ね肩の高さレベルに位置付けられた第３のプーリ・アセンブリと、
前記椅子フレームの前記第２の側面上の概ね足首の高さレベルに位置付けられた第４のプーリ・アセンブリとをさらに備え、
１）前記第１および第２のプーリ・アセンブリは前記第１のアンカ・アセンブリと操作可能に関連し、２）前記第３および第４のプーリ・アセンブリが前記第２のアンカ・アセンブリと操作可能に関連することを特徴とする前記エクササイズ用椅子。
【請求項２】
前記椅子フレームは一対の前脚を備え、各前脚が前脚の中間領域で前方に湾曲して重量分配が向上され、安定性が最適化されることを特徴とする請求項１に記載のエクササイズ用椅子。
【請求項３】
ａ）支持構造と、
ｂ）前記支持構造に第１の選択されたプーリ位置にしっかり取り付けられ、第１のアクティビティ・ベイを有する第１のプーリ・アセンブリと、
ｃ）前記椅子に第１の選択されたアンカ・アセンブリ位置にしっかり取り付けられ、第１のケーブル係止ピンを有する第１のアンカ・アセンブリと、
ｄ）第１のエクササイズ抵抗ケーブル装置であって、
ｉ．弾性エクササイズ抵抗ケーブルと、
ii．前記弾性エクササイズ抵抗ケーブルの第１の端部にしっかり連結され、前記ケーブル係止ピンに着脱可能に取り付けられたケーブル・アンカ・リングと、
iii．前記弾性エクササイズ抵抗ケーブルの第２の端部に連結されたハンドグリップを含む第１のエクササイズ抵抗ケーブル装置とから構成され、
前記第１のアンカ・アセンブリは、
ｉ．前記支持構造の前記選択されたアンカ・アセンブリ位置にしっかり取り付けられたベースと、
ii．各々の前記ベースの両端から前記第１のプーリ・アセンブリに向かって延び、前記弾性エクササイズ抵抗ケーブルにアクセスして案内面として働く一対の平行な支持レールと、
iii．前記ベースから延びて、前記ケーブル・アンカ・リングを固定するケーブル係止ピンとを備え、
使用中に前記弾性エクササイズ抵抗ケーブルは前記第１のプーリ・アセンブリの前記第１のアクティビティ・ベイを通るように方向付けられ、最終的に前記ケーブル・アンカ・リングを介して前記支持構造の前記第１のアンカ・アセンブリの前記ケーブル係止ピンに取り付けられることを特徴とするエクササイズ・システム。
【請求項４】
ａ）支持構造と、
ｂ）前記支持構造に第１の選択されたプーリ位置にしっかり取り付けられ、第１のアクティビティ・ベイを有する第１のプーリ・アセンブリと、
ｃ）前記椅子に第１の選択されたアンカ・アセンブリ位置にしっかり取り付けられ、弾性エクササイズ抵抗ケーブルへのアクセスおよび案内面として働くために前記第１のプーリ・アセンブリに向かって間隔をおいて配置された一対の平行の支持レールを備え、さらに第１のケーブル係止ピンを有する第１のアンカ・アセンブリと、
ｄ）第１のエクササイズ抵抗ケーブル装置であって、
ｉ．弾性エクササイズ抵抗ケーブルと、
ii．前記弾性エクササイズ抵抗ケーブルの第１の端部にしっかり連結されたケーブル・アンカ・リングと、
iii．前記弾性エクササイズ抵抗ケーブルの第２の端部に連結されたハンドグリップを備える第１のエクササイズ抵抗ケーブル装置とから構成され、
前記支持構造は椅子フレームを有する椅子を備え、
前記第１のアンカ・アセンブリは、前記椅子フレームの第１の側面の概ね座席レベルに位置づけられ、
前記第１のプーリ・アセンブリは、前記椅子フレームの前記第１の側面の概ね肩の高さレベルに位置づけられ、
前記エクササイズ・システムは、
前記椅子フレームの前記第１の側面の概ね足首の高さレベルに位置付けられた第２のプーリ・アセンブリと、
前記椅子フレームの第２の側面の概ね座席レベルに位置付けられた第２のアンカ・アセンブリと、
前記椅子フレームの前記第２の側面の概ね肩の高さレベルに位置付けられた第３のプーリ・アセンブリと、
前記椅子フレームの前記第２の側面上の概ね足首の高さレベルに位置付けられた第４のプーリ・アセンブリとをさらに備え、
１）前記第１および第２のプーリ・アセンブリが前記第１のアンカ・アセンブリと操作可能に関連し、２）前記第３および第４のプーリ・アセンブリが前記第２のアンカ・アセンブリと操作可能に関連し、
使用中に前記弾性エクササイズ抵抗ケーブルは前記第１のプーリ・アセンブリの前記第１のアクティビティ・ベイを通るように方向付けられ、最終的に前記ケーブル・アンカ・リングを介して前記椅子の前記第１のアンカ・アセンブリの前記ケーブル係止ピンに取り付けられることを特徴とするエクササイズ・システム。
【請求項５】
ａ）支持構造と、
ｂ）前記椅子に第１の選択されたプーリ位置にしっかり取り付けられ、第１のアクティビティ・ベイを有する第１のプーリ・アセンブリと、
ｃ）前記椅子に第１の選択されたアンカ・アセンブリ位置にしっかり取り付けられ、弾性エクササイズ抵抗ケーブルへのアクセスおよび案内面として働くために前記第１のプーリ・アセンブリに向かって間隔をおいて配置された一対の平行の支持レールを備え、さらに第１のケーブル係止ピンを有する第１のアンカ・アセンブリと、
ｄ）第１のエクササイズ抵抗ケーブル装置であって、
ｉ．弾性エクササイズ抵抗ケーブル、
ii．前記弾性エクササイズ抵抗ケーブルの第１の端部にしっかり連結され、前記ケーブル係止ピンに着脱可能に取り付けられたケーブル・アンカ・リングと、
iii．前記弾性エクササイズ抵抗ケーブルの第２の端部に連結されたハンドグリップを含む第１のエクササイズ抵抗ケーブル装置とから構成され、
使用中に前記弾性エクササイズ抵抗ケーブルは、前記第１のプーリ・アセンブリの前記第１のアクティビティ・ベイを通るように方向付けられ、最終的に前記ケーブル・アンカ・リングを介して前記支持構造の前記第１のアンカ・アセンブリの前記ケーブル係止ピンに取り付けられることを特徴とするエクササイズ・システム。
【請求項６】
ａ）一対の前脚と一対の後脚を有する椅子を備える支持構造と、
ｂ）前記支持構造の第１の選択されたプーリ位置にしっかり取り付けられ、第１のアクティビティ・ベイを有する第１のプーリ・アセンブリと、
ｃ）前記椅子に第１の選択されたアンカ・アセンブリ位置にしっかり取り付けられ、弾性エクササイズ抵抗ケーブルへのアクセスおよび案内面として働くために第１のプーリ・アセンブリに向かって間隔をおいて配置された一対の平行支持レールを備え、さらに第１のケーブル係止めを有する第１のアンカ・アセンブリと、ケーブル係止ピンを有する第１のアンカ・アセンブリと、
ｄ）第１のエクササイズ抵抗ケーブル装置と、
ｅ）前記椅子の前記前脚や後脚に係合するように配置かつ構成され、間隔を置いて配置された複数の開口部を含むステッパとから構成され、前記第１のエクササイズ抵抗ケーブル装置は、
１．弾性エクササイズ抵抗ケーブルと、
２．前記弾性エクササイズ抵抗ケーブルの第１の端部にしっかり連結され、前記第１のケーブル係止ピンと着脱可能に係合することができる構造と構成を持つケーブル・アンカ・リングと、
３．前記弾性エクササイズ抵抗ケーブルの第２の端部に連結されたハンドグリップとを備え、
使用中に前記弾性エクササイズ抵抗ケーブルが、前記第１のプーリ・アセンブリの前記
第１のアクティビティ・ベイを通るように方向付けられ、最終的に前記ケーブル・アンカ・リングを介して前記支持構造の前記第１のアンカ・アセンブリの前記ケーブル係止ピンに着脱可能に取り付けられることを特徴とする万能ジム用エクササイズ・システム。
【請求項７】
ａ）バランス・バー・セクションを形成した上部を持つ背もたれを有する支持構造と、
ｂ）前記椅子に第１の選択されたプーリ位置にしっかり取り付けられ、第１のアクティビティ・ベイを有する第１のプーリ・アセンブリと、
ｃ）前記椅子に第１の選択されたアンカ・アセンブリ位置にしっかり取り付けられ、弾性エクササイズ抵抗ケーブルへのアクセスおよび案内面として働くために前記第１のプーリ・アセンブリに向かって間隔をおいて配置された一対の平行の支持レールを備え、さらに第１のケーブル係止ピンを有する第１のアンカ・アセンブリと、
ｄ）第１のエクササイズ抵抗ケーブル装置と、
ｅ）背中支持部と、前記背中支持アセンブリに取り付けられて前記バランス・バー・セクションと係合するクリップとを備える背中支持アセンブリとから構成され、
前記第１のエクササイズ抵抗ケーブル装置は、
ｉ．弾性エクササイズ抵抗ケーブルと、
ii．前記弾性エクササイズ抵抗ケーブルの第１の端部にしっかり連結されたケーブル・アンカ・リングと、
iii．前記弾性エクササイズ抵抗ケーブルの第２の端部に連結されたハンドグリップとを備え、
前記背中支持アセンブリはユーザを前方に位置させて動作のエクササイズ範囲を大きくするための有利な姿勢と位置をユーザに提供し、
使用中に前記弾性エクササイズ抵抗ケーブルが、前記第１のプーリ・アセンブリの前記
第１のアクティビティ・ベイを通るように方向付けられ、最終的に前記ケーブル・アンカ・リングを介して前記支持構造の前記第１のアンカ・アセンブリの前記ケーブル係止ピンに着脱可能に取り付けられることを特徴とするエクササイズ・システム。
【請求項８】
前記支持構造が椅子を備えることを特徴とする請求項３に記載のエクササイズ・システム。
【請求項９】
前記支持構造が椅子を備えることを特徴とする請求項４に記載のエクササイズ・システム。
【請求項１０】
エクササイズ・システムのためのエクササイズ用椅子であって、前記エクササイズ・システムは、弾性エクササイズ抵抗ケーブルと、前記弾性エクササイズ抵抗ケーブルの第１の端部にしっかり連結されたケーブル・アンカ・リングと、前記弾性エクササイズ抵抗ケーブルの第２の端部に連結されたハンドグリップを備えるタイプのエクササイズ抵抗ケーブル装置を使用するタイプであり、前記エクササイズ用椅子は、
ａ）椅子フレームと、
ｂ）第１の選択されたプーリ位置で前記椅子フレームにしっかり取り付けられ、第１のアクティビティ・ベイを有する第１のプーリ・アセンブリと、
ｃ）前記椅子フレームの第１の選択されたアンカ・アセンブリ位置にしっかり取り付けられ、第１のケーブル係止ピンを有する第１のアンカ・アセンブリとから構成され、
使用中に前記弾性エクササイズ抵抗ケーブルが前記第１のプーリ・アセンブリの前記第１のアクティビティ・ベイを通るように方向付けられ、最終的に前記ケーブル・アンカ・リングを介して取り付けられ、
前記第１のアンカ・アセンブリは、前記椅子フレームの第１の側面の概ね座席レベルに位置付けられ、
前記第１のプーリ・アセンブリは、前記椅子フレームの前記第１の側面の概ね肩の高さレベルに位置付けられ、
前記エクササイズ・システムは、
前記椅子フレームの前記第１の側面の概ね足首の高さレベルに位置付けられた第２のプーリ・アセンブリと、
前記椅子フレームの第２の側面の概ね座席レベルに位置付けられた第２のアンカ・アセンブリと、
前記椅子フレームの前記第２の側面の概ね肩の高さレベルに位置付けられた第３のプーリ・アセンブリと、
前記椅子フレームの前記第２の側面上の概ね足首の高さレベルに位置付けられた第４のプーリ・アセンブリとをさらに備え、
１）前記第１および第２のプーリ・アセンブリは前記第１のアンカ・アセンブリと操作可能に関連し、２）前記第３および第４のプーリ・アセンブリが前記第２のアンカ・アセンブリと操作可能に関連することを特徴とする前記エクササイズ用椅子。